(57)【要約】【課題】  温度変化や経時変化が生じたとしても、検出精度が良い移動物体検出装置を提供する。【解決手段】  本発明に係る移動物体検出装置１は、磁力変化を電気信号に変換する検出部２を実装する合成樹脂製のケース４と、ケース４を内蔵する収納空間５ｃを備えたカバー５と、を備え、ケース４の一端側に形成され、検出部２を収容する収容部４ａ１，４ａ２と、ケース４の一端側の側面部から突出する突出部４ａ４と、カバー５に形成され、突出部４ａ４に対応する凹部５ｂ１と、を備え、突出部４ａ４は、付け根側４ａ４１よりも先端側４ａ４２が大きく形成されてなることを特徴とする。【選択図】図３
2018179700.tif 000002
【特許請求の範囲】
【請求項１】
磁力変化を電気信号に変換する検出部を実装する合成樹脂製のケースと、
前記ケースを内蔵する収納空間を備えたカバーと、
を備えた移動物体検出装置であって、
前記ケースの一端側に形成され、前記検出部を収納する収容部と、
前記ケースの一端側の側面部から突出する突出部と、
前記カバーに形成され、前記突出部に対応する凹部と、
を備え、
前記突出部は、付け根側よりも先端側が大きく形成されてなること
を特徴とする移動物体検出装置。
【請求項２】
前記突出部は、楔形であることを特徴とする請求項１に記載の移動物体検出装置。
【発明の詳細な説明】
【技術分野】
【０００１】
本発明は、移動物体検出装置に関するものである。
【背景技術】
【０００２】
従来の移動物体検出装置は、例えば特許文献１に開示されるように、ホルダとケースとに形成された凹凸形状によって、ホルダとケースを嵌合固定するものが提案されている。
【先行技術文献】
【特許文献】
【０００３】
【特許文献１】特開２００６−３０８４３５号公報
【発明の概要】
【発明が解決しようとする課題】
【０００４】
しかしながら、特許文献１に開示されている移動物体検出装置は、機器の温度変化（冷熱サイクル）や経時変化によって係合部の膨張、収縮の違いによってホルダとケースの係合が緩くなることで、センサの位置にずれが生じ、検出誤差が大きくなる虞があった。
【０００５】
本発明は、上記問題点に鑑みてなされたものであり、温度変化や経時変化が生じたとしても、検出精度の良い移動物体検出装置を提供することを目的とする。
【課題を解決するための手段】
【０００６】
本発明に係る移動物体検出装置１は、
磁力変化を電気信号に変換する検出部２を実装する合成樹脂製のケース４と、
ケース４を内蔵する収納空間５ｃを備えたカバー５と、
を備え、
ケース４の一端側に形成され、検出部２を収容する収容部４ａ１，４ａ２と、
ケース４の一端側の側面部から突出する突出部４ａ４と、
カバー５に形成され、突出部４ａ４に対応する凹部５ｂ１と、
を備え、
突出部４ａ４は、付け根側４ａ４１よりも先端側４ａ４２が大きく形成されてなること
を特徴とする。
【０００７】
突出部４ａ４は、楔形であることを特徴とする。
【発明の効果】
【０００８】
本発明によれば、温度変化や経時変化が生じたとしても、検出精度が良い移動物体検出装置を提供することができる。
【図面の簡単な説明】
【０００９】
【図１】本発明の一実施形態を示す移動物体検出装置の側面図。
【図２】図１のＡ−Ａ線断面図。
【図３】図１の移動物体検出装置からカバーを外し、下方向（Ｄｏｗｎ側）から見た図。
【図４】図１の移動物体検出装置のカバーを上方（Ｕｐ側）から見た図。
【図５】図１の移動物体検出装置を上方（Ｕｐ側）から見た図。
【図６】図１の移動物体検出装置からカバーを外した図。
【発明を実施するための形態】
【００１０】
以下、本発明が自動車の移動物体検出装置として適用された実施の形態について添付図面を用いて説明する。
【００１１】
移動物体検出装置１は、図１，２に示すように、検出部２と、回路基板３と、中ケース（ケース）４と、外ケース（カバー）５とから主に構成される。
【００１２】
検出部２は、磁石２ａと、磁気検出手段２ｂとから構成されるものである。磁石２ａは、円柱状あるいは角柱状をなし、後述する収容部４ａ１，４ａ２が共有する面を介して磁気検出手段２ｂに接している。磁気検出手段２ｂは、ホールＩＣや磁気抵抗素子（ＭＲ素子）等からなるものであり、歯車や専用ロータ等の磁性材料からなる被検出体の回転や移動に伴う磁力の変化（磁石２ａが発する磁力の変化）を検出するものである。
【００１３】
回路基板３は、ガラス繊維入りエポキシ樹脂材やセラミック等の絶縁基板に所定の配線パターンが形成されてなる硬質回路基板からなり、磁気検出手段２ｂのノイズ吸収用コンデンサや信号増幅回路等の各種電子部品（図示しない）が実装されている。回路基板３の一端側は、略Ｌ字状に折り曲げ形成された磁気検出手段２ｂのリード２ｂ１が半田等を介して電気的に接続され、また他端側は、後述するリード端子が半田等を介して電気的に接続されている。従って、磁気検出手段２ｂにより検出された検出信号は、回路基板３から前記リード端子に伝わり外部に出力される。
【００１４】
中ケース４は、ＰＢＴ（ポリブチレンテレフタレート）等の靭性に優れた合成樹脂材料から構成され、図２で示すように、ヘッド部４ａと、ボディ部４ｂと、コネクタ部４ｃとを一体に備えている。
【００１５】
ヘッド部４ａには、磁石２ａを収容するための収容部４ａ１と、ヘッド部４ａの先端部に磁気検出手段２ｂを収容するための収容部４ａ２と、回路基板３を配設するための載置部４ａ３とが形成され、載置部４ａ３は、収容部４ａ１の底面と略平行な位置関係をなしている。回路基板３は、載置部４ａ３に硬化型接着剤を介して配設固定され、また、磁石２ａおよび磁気検出手段２ｂは、収容部４ａ１，４ａ２に硬化型接着剤を介して配設固定される。
【００１６】
図３に示すように、ヘッド部４ａは、その側面からそれぞれ外側に向けて突出する楔形の突出部４ａ４を備えている。突出部４ａ４は付け根（収容部４ａ１）側４ａ４１よりも先端側４ａ４２が大きく形成されている。
【００１７】
ボディ部４ｂには、導電性材料から形成されるリード端子４ｂ１がインサート成形されている。リード端子４ｂ１は、その両端部が略Ｌ字状に折り曲げ形成され、一端が回路基板３と電気的に接続され、また他端がコネクタ部４ｃへ引き出し案内されている。
【００１８】
コネクタ部４ｃは、雄型コネクタ構造をなし、ボディ部４ｂに対して垂直方向に折り曲げ形成されおり、中ケース４を外ケース５の後述する収納空間に挿入する方向に対し直交方向に屈曲している。コネクタ部４ｃは、図示しない雌型コネクタがリード端子４ｂ１の前記他端に接続可能な形状をなしている。
【００１９】
外ケース５は、ＰＰＳ（ポリフェニレンサルファイド）やＬＣＰ（液晶ポリマー）等の剛性や耐熱性に優れた合成樹脂材料から構成され、図２に示すように、断面形状が略コの字状をなし、一端に開口５ａを備え、他端に底部５ｂを設ける円筒のカップ形状からなり、検出部２，回路基板３及び中ケース４を収納する収納空間５ｃを有する。外ケース５は、磁気検出手段２ｂの磁石２ａとの非接触面である磁気検出面に当接する底部５ｂが、側壁部５ｄに比べて薄肉になるように形成され、この底部５ｂは、移動物体検出装置１の検出面となる。
【００２０】
図４に示すように、外ケース５の底部５ｂの内側には、突出部４ａ４に対応する凹部５ｂ１が設けられている。温度変化や経時変化が生じた場合、突出部４ａ４が収容部４ａ１側に収縮する。このとき、突出部４ａ４の付け根側４ａ４１よりも先端側４ａ４２が大きく、凹部５ｂ１と突出部４ａ４とが所謂蟻継ぎ状に嵌合されるため、該収縮が生じても外ケース５と中ケース４との間で、ガタつきが生じるような隙間が生じ難くなり、凹部５ｂ１と突出部４ａ４との変形後にあっても、相対的な接触位置（互いの接触面）を維持できる。また、寸法設定によっては、合成樹脂材の収縮によって、凹部５ｂ１との係合がより強固となる作用も期待できる。
【００２１】
また、図１，図５，図６に示すように、中ケース４と外ケース５には、互いを係止するための係合部４ｄ，５ｇを備えている。中ケース４の係合部は突部４ｄであり、外ケース５の係合部は貫通した孔からなる切り欠き部５ｇである。中ケース４に外ケース５を係止する際に、外ケース５に接触した複数の突部４ｄが接触することによって押された変形可能部４ｅが凹部４ｆ側（内側）に変形した後、突部４ｄと切り欠き部５ｇとが嵌合し、変形可能部４ｅが外側に復元することによって係止状態となる。また、中ケース４が変形することで、外ケース５が変形せずに済むため剛性の高い材質や形状を適用できるだけでなく、割れにくい。
【００２２】
また、図１，図５に示すように、外ケース５は、その側壁部５ｄのＸ方向先端部に被取付部１００に取り付けるための取付部５ｅを有し、その取付部５ｅには金属材料からなるリング状の補強部材５ｆがインサート成形されている。
【００２３】
このような構成にすることによって、温度変化や経時変化が生じたとしても、磁気検出手段２ｂの位置を維持でき、検出精度が良い移動物体検出装置を提供することができる。また、車載された場合、特に、車両の走行にともなう振動に対しても磁気検出手段２ｂの位置を維持できる点で有利となる。
【００２４】
本発明は、上述実施形態に限定するものではなく、種々の変形が可能である。例えば、上述実施形態では、収納空間５ｃの処理に言及していないが、エポキシ樹脂やシリコーン樹脂による充填部材を、中ケース４を挿入した外ケース５の収納空間５ｃに充填し、収納空間５ｃを気密的に封止することで、気密性に優れた移動物体検出装置となる効果が期待できる。
【００２５】
また、上述実施形態では、中ケース４の係合部が突部４ｄ、外ケース５の係合部が切り欠き部５ｇの場合を例示したが、中ケースに切り欠き部、外ケースに突部を設ける構造としても、剛性に優れた移動物体検出装置となる効果が期待できる。
【００２６】
また、上述実施形態では、突出部４ａ４が楔形の場合を例示したが、円形状や台形状としても、同様の効果が期待できる。
【産業上の利用可能性】
【００２７】
本発明は、ハウジングに被検出体への取付部を備えた移動物体検出装置に利用可能である。
【符号の説明】
【００２８】
１        移動物体検出装置
２        検出部
２ａ      磁石（検出部）
２ｂ      磁気検出手段（検出部）
２ｂ１    リード
３        回路基板
４        中ケース（ケース）
４ａ      ヘッド部
４ａ１    収容部
４ａ２    収容部
４ａ３    載置部
４ａ４    突出部
４ａ４１  付け根側
４ａ４２  先端側
４ｂ      ボディ部
４ｂ１    リード端子
４ｃ      コネクタ部
４ｄ      突部（係合部）
４ｄ１    突部（係合部）
４ｅ      変形可能部
４ｆ      凹部
４ｆ１    凹部
５        外ケース（カバー）
５ａ      開口
５ｂ      底部
５ｂ１    凹部
５ｃ      収納空間
５ｄ      側壁部
５ｅ      取付部
５ｆ      補強部材
５ｇ      切り欠き部（係合部）
１００        被取付部
２００        ボルト
【図１】
2018179700.tif 000003
【図２】
2018179700.tif 000004
【図３】
2018179700.tif 000005
【図４】
2018179700.tif 000006
【図５】
2018179700.tif 000007
【図６】
2018179700.tif 000008